(57)【要約】【課題】出射光量の調節が可能なコンパクトな光源装置を提供する。【解決手段】ランプ光源と、ランプ光源からの光束を減光して、出射する光量を調整する光量調整手段と、を備え、光量調整手段が、複数の第１の通光孔が形成され、光束の光路上に配置された第１のプレートと、複数の第２の通光孔が形成され、光束の光路上に第１のプレートと平行に配置され、且つ第１のプレートと平行な所定方向にスライド自在な第２のプレートと、を備え、第２のプレートを所定方向にスライドさせることにより、第１及び第２の通光孔を通過して出射する光量が漸次増大するように構成される。【選択図】図５
2013226167.tif 000002
【特許請求の範囲】
【請求項１】
ランプ光源と、
前記ランプ光源からの光束を減光して、出射する光量を調整する光量調整手段と、
を備え、
前記光量調整手段が、
複数の第１の通光孔が形成され、前記光束の光路上に配置された第１のプレートと、
複数の第２の通光孔が形成され、前記光束の光路上に前記第１のプレートと平行に配置され、且つ前記第１のプレートと平行な所定方向にスライド自在な第２のプレートと、
を備え、前記第２のプレートを前記所定方向にスライドさせることにより、前記第１及び前記第２の通光孔を通過して出射する光量が漸次増大するように構成された、
ことを特徴とする光源装置。
【請求項２】
前記複数の第１の通光孔及び前記複数の第２の通光孔は、前記第１及び前記第２のプレート上にそれぞれ同じ配列パターンで形成されている、ことを特徴とする請求項１に記載の光源装置。
【請求項３】
前記複数の第１の通光孔は、六方格子状又は正方格子状に配列されている、ことを特徴とする請求項１又は請求項２に記載の光源装置。
【請求項４】
前記第１の通光孔と前記第２の通光孔が、それぞれ同一の形状及び大きさを有している、ことを特徴とする請求項１から請求項３のいずれか一項に記載の光源装置。
【請求項５】
前記ランプ光源が出射するランプ光量を取得するランプ光量取得手段と、
前記ランプ光量取得手段が取得した前記ランプ光量に基づいて、所定の光量を出射するように前記光量調整手段を駆動制御する駆動制御手段と、
を備えたことを特徴とする請求項１から請求項４のいずれか一項に記載の光源装置。
【請求項６】
前記駆動制御手段が、
前記第２のプレートの移動方向を前記所定方向に限定するガイド手段と、
前記第２のプレートの前記所定方向一端にカム面が当接して、前記第２のプレートを前記所定方向に駆動するカム手段と、
を備えたことを特徴とする請求項５に記載の光源装置。
【請求項７】
前記駆動制御手段が、
前記第２のプレートの移動方向を前記所定方向に限定するガイド手段と、
前記第２のプレートに取り付けられたラックと、該ラックと係合するピニオンとを含み、前記第２のプレートを前記所定方向に駆動するギヤ手段と、
を備えたことを特徴とする請求項５に記載の光源装置。
【請求項８】
前記ランプ光量取得手段が、
前記ランプ光源の累積照明時間を計時する累積照明時間計時手段と、
前記累積照明時間と前記ランプ光量との関係を表すランプ光量低減曲線テーブルが記録されたランプ光量低減曲線テーブル記憶手段と、を備え、
前記累積照明時間計時手段が計時した累積照明時間及び前記ランプ光量低減曲線テーブルから前記ランプ光量を取得する
ことを特徴とする請求項５から請求項７のいずれか一項に記載の光源装置。
【請求項９】
前記ランプ光量取得手段が、前記所定方向における前記第２プレートの位置と前記光量調整手段を透過する前記光束の透過率との関係を表す透過率曲線テーブルが記録された透過率曲線テーブル記憶手段を備え、
前記駆動制御手段が、前記透過率が前記ランプ光量と前記所定の光量との差分となるよう前記光量調整手段を駆動制御する
ことを特徴とする請求項５から請求項８のいずれか一項に記載の光源装置。
【請求項１０】
所定の光量を出射するように前記光量調整手段を駆動制御する駆動制御手段を備え、
該駆動制御手段が、
前記ランプ光源の累積照明時間を計時する累積照明時間計時手段と、
前記累積照明時間と前記第２のプレートの前記所定方向における好適位置との関係を表す位置曲線テーブルが記録された位置曲線テーブル記憶手段と、を備え、
前記累積照明時間計時手段が計時した累積照明時間に基づいて前記位置曲線テーブルから前記好適位置を取得して、該好適位置へ前記第２のプレートを移動させる
ことを特徴とする請求項１から請求項４のいずれか一項に記載の光源装置。
【請求項１１】
請求項１から請求項１０のいずれか一項に記載の光源装置を備えた内視鏡装置。
【発明の詳細な説明】
【技術分野】
【０００１】
本発明は、出射する光量の調節が可能な光源装置及び該光源装置を備えた内視鏡装置に関する。
【背景技術】
【０００２】
光源装置は、所定範囲の光量を長期間安定的に供給することが要求される。しかしながら、光源装置に使用されるハロゲンランプやキセノンランプ等のランプは、使用時間と共に発光量が減少する性質を一般に有している。特許文献１には、透過率可変の減光板を設けて、ランプの発光量の低下に応じて減光板の透過率を上げることで、ランプ交換無しで一定の出射光量を長期間維持可能にした光源装置が記載されている。
【０００３】
特許文献１の光源装置に使用される減光板は、透過率の異なる多数の網目領域が円周方向に配列された円盤形状の部材であり、減光板を回転させてランプ光束が通過する網目領域を切り換えることで、減光板の透過率を段階的に変更できるように構成されている。網目領域は、それぞれ網目の異なる金属等の網から形成されている。
【先行技術文献】
【特許文献】
【０００４】
【特許文献１】特開２００７−２８９５８１号公報
【発明の概要】
【発明が解決しようとする課題】
【０００５】
特許文献１の減光板は、ランプ光束の断面よりも広い網が、透過率の可変段数と同じ数だけ面内に並べて取り付けられたものである。その為、特許文献１の減光板は、外径が大きく、広い設置空間を必要とし、光源装置の小型化を難しくしていた。
【課題を解決するための手段】
【０００６】
本発明の実施形態によれば、ランプ光源と、ランプ光源からの光束を減光して、出射する光量を調整する光量調整手段と、を備え、光量調整手段が、複数の第１の通光孔が形成され、光束の光路上に配置された第１のプレートと、複数の第２の通光孔が形成され、光束の光路上に第１のプレートと平行に配置され、且つ第１のプレートと平行な所定方向にスライド自在な第２のプレートと、を備え、第２のプレートを所定方向にスライドさせることにより、第１及び第２の通光孔を通過して出射する光量が漸次増大するように構成された、ことを特徴とする光源装置及びこの光源装置を備えた内視鏡装置が提供される。
【０００７】
この構成によれば、第２のプレートを所定方向にスライドさせて、第１及び第２のプレートにそれぞれ設けられた第１の通光孔と第２の通光孔の重なり具合を変えることによって、出射する光量を無段階に調整することができる。また、出射する光量の調整には、２枚重ねたプレートを通光孔一つ分スライドさせられる広さがあれば良く、設置スペースを小さくすることができる。また、光量調整の段数と同じ数だけ網目の異なる網を作製して、１枚のプレート上に並べて取り付ける作業が不要となる為、製造コストと製造時間を削減することができる。
【０００８】
また、複数の第１の通光孔及び複数の第２の通光孔は、第１及び第２のプレート上にそれぞれ同じ配列パターンで形成されている構成としてもよい。
【０００９】
この構成によれば、全ての第１の通光孔と第２の通光孔の重なり具合が一様になり、透過率の最大値を大きくすることができる。また、各通光孔が均一に配置された場合は、この構成により、光量調整手段を透過する光量の分布を均一にすることができる。また、同じ金型を使用して第１及び第２のプレートを加工することができる為、製造コストを低減することができる。
【００１０】
複数の第１の通光孔は、六方格子状又は正方格子状に配列されている構成としてもよい。
【００１１】
このように通光孔を対称的に配置することにより、第１及び第２のプレートの開口率や、光量調整手段の最大透過率を高くすることができる。また、この構成により、第１及び第２のプレートの設計や加工が容易になる。
【００１２】
また、第１の通光孔と第２の通光孔は、それぞれ同一の形状及び大きさを有している構成としてもよい。
【００１３】
この構成によれば、同じ金型を使用して第１及び第２のプレートを加工することができる為、製造コストを低減することができる。
【００１４】
ランプ光源が出射するランプ光量を取得するランプ光量取得手段と、ランプ光量取得手段が取得したランプ光量に基づいて、所定の光量を出射するように光量調整手段を駆動制御する駆動制御手段と、を備えた構成としてもよい。
【００１５】
この構成によれば、ランプ光量に応じた光量の自動調整が可能になる。
【００１６】
駆動制御手段が、第２のプレートの移動方向を所定方向に限定するガイド手段と、第２のプレートの所定方向一端にカム面が当接して、第２のプレートを所定方向に駆動するカム手段と、を備えた構成としてもよい。
【００１７】
また、駆動制御手段が、第２のプレートの移動方向を所定方向に限定するガイド手段と、第２のプレートに取り付けられたラックと、該ラックと係合するピニオンとを含み、第２のプレートを所定方向に駆動するギヤ手段と、を備えた構成としてもよい。
【００１８】
ランプ光量取得手段が、ランプ光源の累積照明時間を計時する累積照明時間計時手段と、累積照明時間とランプ光量との関係を表すランプ光量低減曲線テーブルが記録されたランプ光量低減曲線テーブル記憶手段と、を備え、累積照明時間計時手段が計時した累積照明時間及びランプ光量低減曲線テーブルからランプ光量を取得する構成としてもよい。
【００１９】
この構成によれば、光量計を設けてランプ光量を計測することなく、ランプ光源の累積照明時間を計時するだけで、ランプ光量を取得することができる。
【００２０】
ランプ光量取得手段が、所定方向における第２プレートの位置と光量調整手段を透過する光束の透過率との関係を表す透過率曲線テーブルが記録された透過率曲線テーブル記憶手段を備え、駆動制御手段が、透過率がランプ光量と所定の光量との差分となるよう光量調整手段を駆動制御する構成としてもよい。
【００２１】
この構成によれば、光量調整手段の透過率をランプ光量に適した値に自動調整することができる。また、ランプ光量低減曲線テーブルと透過率曲線テーブルとを分けて設ける構成により、ランプ光源や光量調整手段の仕様を変更しても、使用するランプ光量低減曲線テーブル又は透過率曲線テーブルを個別に変更するだけで好適な光量調整が可能になる。
【００２２】
また、所定の光量を出射するように光量調整手段を駆動制御する駆動制御手段を備え、該駆動制御手段が、ランプ光源の累積照明時間を計時する累積照明時間計時手段と、累積照明時間と第２のプレートの前記所定方向における好適位置との関係を表す位置曲線テーブルが記録された位置曲線テーブル記憶手段と、を備え、累積照明時間計時手段が計時した累積照明時間に基づいて位置曲線テーブルから好適位置を取得して、該好適位置へ第２のプレートを移動させる構成としてもよい。
【発明の効果】
【００２３】
本発明の実施形態の構成によれば、出射光量の調節が可能なコンパクトな光源装置及び内視鏡装置が提供される。
【図面の簡単な説明】
【００２４】
【図１】図１は、本発明の実施の形態に係る電子内視鏡システム１の概略構成を示すブロック図である。
【図２】図２は、本発明の第１実施形態に係る光量調整装置１５０の側面図である。
【図３】図３は、固定プレート１５２を図２における矢印Ａの方向で見た図である。
【図４】図４は、可動プレート１５４を図２における矢印Ａの方向で見た図である。
【図５】図５は、光量調整装置１５０の動作を説明する図である。
【図６】図６は、ランプ１２１の光量低減曲線の概念図である。
【図７】図７は、光量調整装置１５０の透過率曲線の概念図である。
【図８】図８は、本発明の第２実施形態に係る光量調整装置１５０’の側面図である。
【図９】図９は、本発明の第２実施形態に係る光量調整装置１５０’の正面図である。
【発明を実施するための形態】
【００２５】
以下、本発明の実施の形態について図面を用いて詳細に説明する。
【００２６】
（第１実施形態）
図１は、本発明の実施形態に係る光源装置１００を使用した電子内視鏡システム１の概略構成を示すブロック図である。電子内視鏡システム１は、医療用の電子内視鏡システムであり、光源装置１００の他に電子内視鏡２００と電子内視鏡用プロセッサ３００を備えている。
【００２７】
電子内視鏡２００は、光源装置１００から供給された照明光を患者の体腔内に挿入する内視鏡先端部まで伝送するＬＣＢ（Light Carrying Bundle）２１０を備えている。光源装置１００から供給された照明光は、光源装置１００に差し込まれたＬＣＢ２１０の入射端に入射し、ＬＣＢ２１０内を伝搬した後、出射端から出射して、配光レンズ２２０を介して被写体に照射される。被写体からの反射光は、対物レンズ２４０を介して固体撮像素子２３０の受光面上で光学像を結ぶ。また、電子内視鏡２００は、固体撮像素子２３０の駆動制御及び固体撮像素子２３０が生成する撮像信号に対する前処理を行うドライバ信号処理回路２５０を備えている。ドライバ信号処理回路２５０は、固体撮像素子２３０を駆動して受光面上に結像した光学像に応じた撮像信号を生成させて、この撮像信号を読み出してデジタル画像信号に変換した後、電子内視鏡用プロセッサ３００に送信する。電子内視鏡用プロセッサ３００は、デジタル画像信号に対して各種の画像処理を行った後、ビデオ信号に変換して、モニタ４００へ出力する。モニタ４００は、入力されたビデオ信号に基づいて内視鏡画像を画面表示する。これにより、術者は、モニタ４００に表示される内視鏡画像を確認しながら体腔内の観察や治療を行うことができる。
【００２８】
次に、本発明の第１実施形態に係る光源装置１００の構成を説明する。光源装置１００は、光源装置１００の各部を制御するコントローラ１１０、メモリ１１２、光源装置１００の動作状態を表示すると共にユーザ操作を受け付ける表示・操作部１１１、白色光束Ｌを出射するランプ１２１、ランプ１２１に駆動電力を供給するイグナイタ１２２、及び白色光束Ｌを集光してＬＣＢ２１０内に導光する集光レンズ１３０を備えている。更に、光源装置１００は、ランプ１２１と集光レンズ１３０の間に配置された、ＬＣＢ２１０内に導光する照明光の光量を調節する光量調整装置１５０を備えている。光量調整装置１５０は、光量調節機構部１５０ａ、光量調節機構部１５０ａを駆動する駆動部１５０ｂ、及び駆動部１５０ｂに駆動電力を供給するドライバ１５０ｃを備えている。イグナイタ１２２及びドライバ１５０ｃは、コントローラ１１０からの制御信号に基づいて、ランプ１２１の点灯及び光量調整装置１５０の作動をそれぞれ制御する。なお、本実施形態ではランプ１２１にキセノンランプが使用されているが、他の種類のランプ（例えば、水銀ランプ、メタルハライドランプその他の放電ランプや、ハロゲン電球その他の白熱電球）を使用することもできる。また、コントローラ１１０は、インターフェース１７０を介して電子内視鏡プロセッサ３００と通信可能に接続されている。メモリ１１２には、後述するランプ１２１の光量低減曲線テーブル１１２ａ、光量調整装置１５０の透過率曲線テーブル１１２ｂ、ランプの累積点灯時間Ｃ、設定光量ＱＳ、最低光量Ｑｍｉｎ等が記録されている。なお、最低光量Ｑｍｉｎは、十分な露光を確保する為に必要なランプ光量Ｑの下限値であり、後述のようにランプ交換を促す警報の閾値として使用される。コントローラ１１０は、ランプ１２１の点灯時間を計時して、所定時間（例えば１時間）毎にメモリ１１２に記録された累積点灯時間Ｃを更新する。また、設定光量ＱＳの値は、表示・操作部１１１に対するユーザ操作や電子内視鏡用プロセッサ３００の制御によって書き換え可能になっている。
【００２９】
次に、光量調整装置１５０の構成について説明する。図２は光量調整装置１５０の側面図である。光量調整装置１５０の光量調節機構部１５０ａは、固定プレート１５２及び可動プレート１５４を備えている。図３及び図４は、固定プレート１５２及び可動プレート１５４をそれぞれ図２中の矢印Ａの方向で見た図である。固定プレート１５２及び可動プレート１５４は、それぞれパンチングプレスにより中央部に多数の孔が形成された金属板である。なお、矢印Ａは、ランプ１２１からの白色光束Ｌが光量調節機構部１５０ａに入射する方向を示す。すなわち、ランプ１２１が出射した白色光束Ｌは、固定プレート１５２側から光量調整装置１５０に略垂直に入射する。
【００３０】
図３に示すように、固定プレート１５２の中央部には、六方格子状に配列された多数の通光孔１５２ａが開けられている。本実施形態においては、通光孔１５２ａは、円形の孔形状に形成されている。また、固定プレート１５２の四隅には、固定プレート１５２を光源装置１００のフレーム（不図示）に取り付ける為の取付穴１５２ｃが開けられている。更に、通光孔１５２ａが形成された中央部を囲むように、可動プレート１５４を支持する為の４つの穴１５２ｂが開けられている。
【００３１】
図２に示すように、可動プレート１５４は、樹脂から形成された４つの円筒形のスペーサ１５３を介して、固定プレート１５２と並行に配置されている。図４に示すように、可動プレート１５４の中央部には、六方格子状に配列された多数の通光孔１５４ａが開けられている。通光孔１５４ａは、固定プレート１５２に開けられた通光孔１５２ａと同じ孔形状、孔径、数、配列で形成されている。また、可動プレート１５４の四隅には、固定プレート１５２の穴１５２ｂと対向する位置に、長穴１５４ｂが開けられている。
【００３２】
可動プレート１５４は、固定プレート１５２の穴１５２ｂ、スペーサ１５３の貫通穴（不図示）及び可動プレート１５４の長穴１５４ｂに通された４本のリベット１５１によって、固定プレート１５２に対して一方向（図２〜図４における上下方向）に摺動可能に取り付けられている。本実施形態では、通光孔１５４ａの孔径と同じ距離だけ可動プレート１５４を上下方向に平行動できるように、長穴１５４ｂの長径が設定されている。
【００３３】
図２に示すように、可動プレート１５４の下方には、可動プレート１５４を上下方向に平行動させる駆動部１５０ｂが配置されている。本実施形態の駆動部１５０ｂは、カム機構を使用したものであり、ステッピングモータ１５６と、ステッピングモータ１５６の駆動軸１５６ａに接続された楕円カム１５５を備えている。楕円カム１５５のカム面は可動プレート１５４の下縁１５４ｃに当接しており、楕円カム１５５の回転に伴って可動プレート１５４が上下方向に平行動するようになっている。なお、ステッピングモータ１５６は、固定プレート１５２に対してランプ１２１の反対側に配置されている。その為、ランプ１２１の輻射のほとんどが固定プレート１５２によって遮蔽され、輻射熱によるステッピングモータ１５６の焼き付きが防止される。
【００３４】
次に、図５（ａ）〜（ｃ）を参照して、光量調整装置１５０の動作について説明する。可動プレート１５４は、その下縁１５４ｃに当接するカム１５５の回転に伴い、図５（ａ）に示す閉位置と、図５（ｃ）に示す開位置との間を移動するように構成されている。図５（ａ）に示すように、楕円カム１５５がその長軸上で可動プレート１５４に当接した時に、可動プレート１５４の位置は最も高くなる。この時、可動プレート１５４の通光孔１５４ａは、固定プレート１５２の通光孔１５２ａの可動プレート１５４上への投影（破線で示す）と全く重ならない。従って、固定プレート１５２の通光孔１５２ａを通過した光は、可動プレート１５４によって遮断され、光量調整装置１５０を全く通過することができない。
【００３５】
一方、図５（ｃ）に示すように、楕円カム１５５がその短軸上で可動プレート１５４に当接した時に、可動プレート１５４の位置は最も低くなる。この時、可動プレート１５４の通光孔１５４ａは、固定プレート１５２の通光孔１５２ａの可動プレート１５４上への投影と完全に重なる。従って、固定プレート１５２の通光孔１５２ａを通過した光は、そのほとんどが可動プレート１５４の通光孔１５４ａを通過し、光量調整装置１５０から出射される。光量調整装置１５０は、楕円カム１５５（すなわちステッピングモータ１５６の駆動軸１５６ａ）の回転位置θを変えることにより、最も透過率Ｔが高くなる開状態（透過率Ｔ＝３０％）と最も透過率が低くなる閉状態（透過率Ｔ＝０％）との間で連続的に透過率Ｔを調整することができる。ランプ１２１の交換直後においては、ランプ１２１の光量が極めて大きいため、図５（ｂ）に示す半開状態（透過率Ｔ＝１０％程度）に設定される。光量調整装置１５０の透過率Ｔは、コントローラ１１０によって制御される。
【００３６】
なお、開状態及び閉状態にける光量調整装置１５０の透過率Ｔは、通光孔１５２ａ及び１５４ａの設計によって設定可能である。本実施形態においては、通光孔１５２ａ及び１５４ａが、孔径に対してピッチ（最も近接する通光孔間の距離）が長目に設定されているため、閉状態において照明光を完全に遮断することができる（すなわち、光量調整装置１５０を照明光のシャッターとして機能させることができる）が、通光孔１５２ａ及び１５４ａの開孔率が低いため、開状態における透過率Ｔが低くなっている。光量調整装置１５０にシャッター機能を与える必要が無ければ、通光孔１５２ａ及び１５４ａの孔径に対してピッチを短く設定することにより、開状態における透過率Ｔを高くすることができる。
【００３７】
次に、コントローラ１１０が光量調整装置１５０の透過率Ｔを制御する方法について説明する。コントローラ１１０は、メモリ１１２に記録された光量低減曲線テーブル１１２ａ、透過率曲線テーブル１１２ｂ及び累積点灯時間Ｃに基づいて楕円カム１５５の回転位置θを決定して、ステッピングモータ１５６を駆動させる。
【００３８】
図６は光量低減曲線テーブル１１２ａをプロットしたランプ１２１の光量低減曲線の概念図であり、図７は透過率曲線テーブル１１２ｂをプロットした光量調整装置１５０の透過率曲線の概念図である。図６に示すランプ１２１の光量低減曲線は、ランプ１２１の累積点灯時間Ｃ（ｈ）と光量Ｑ（ｍＷ）との関係を表した曲線であり、ランプ１２１と同一仕様の試験サンプルを使用して測定したものである。また、図７に示す光量調整装置１５０の透過率曲線は、楕円カム１５５の回転位置θ（度）と光量調整装置１５０の透過率Ｔ（％）との関係を表した曲線であり、光量調整装置１５０又は光量調整装置１５０と同一仕様の装置を使用して測定したものである。
【００３９】
コントローラ１１０は、先ずメモリ１１２から光量低減曲線テーブル１１２ａ、透過率曲線テーブル１１２ｂ、累積点灯時間Ｃ、設定光量ＱＳ及び最低光量Ｑｍｉｎを読み出し、光量低減曲線テーブル１１２ａから現在の累積点灯時間Ｃに対応する光量Ｑを取得する。光量Ｑが最低光量Ｑｍｉｎよりも低い場合には、コントローラ１１０はランプ交換を促す警報を表示・操作部１１１に表示する。次に、コントローラ１１０は、計算式Ｔ＝ＱＳ／Ｑにより、光量調整装置１５０の透過率Ｔの目標値を計算する。そして、透過率曲線テーブル１１２ｂから透過率Ｔの目標値に対応する楕円カム１５５の回転位置θの値を取得し、ステッピングモータ１５６を駆動して楕円カム１５５を回転位置θまで回転させる。コントローラ１１０が以上の処理による透過率Ｔの制御を所定時間（例えば１時間）毎に行うことで、光源装置１００が出射する照明光の光量が内視鏡観察に適した設定光量ＱＳに保たれる。また、表示・操作部１１１の警報表示により、ユーザにランプ１２１の交換時期を通知することができる。
【００４０】
以上に説明した第１実施形態は、可動プレートを移動させる駆動部１５０ｂにカム機構を使用した例であるが、他の駆動機構を使用して可動プレートを移動させる構成も本発明の技術的範囲に含まれる。以下に説明する本発明の第２実施形態は、ラックアンドピニオン機構を使用した駆動部１５０ｂ’を搭載したものである。なお、第２実施形態の光源装置１００及び電子内視鏡システム１の構成は、光量調整装置１５０’の可動プレート１５４’及び駆動部１５０ｂ’の構成を除いては、上記の第１実施形態の構成と同じものである。そのため、以下の説明は、主に第１実施形態と相違する構成について行い、第１実施形態と同一の構成については、同一の参照符号を使用して、詳しい説明は省略する。
【００４１】
（第２実施形態）
図８は、本発明の第２実施形態に係る光量調整装置１５０’の側面図である。また、図９は、光量調整装置１５０’を図８における矢印Ａの方向で見た正面図である。第２実施形態の光量調節機構部１５０ａ’は、可動プレート１５４’の構成（駆動部１５０ｂ’との結合構成）を除いては、第１実施形態の光量調節機構部１５０ａと同一の構成を有している。可動プレート１５４’の縁部（図９における右端部）には、上下方向に延びるラック１５７が取り付けられている。また、ステッピングモータ１５６の駆動軸１５６ａは、ラック１５７と係合するピニオンギヤ１５８に接続されており、ステッピングモータ１５６がピニオンギヤ１５８を回転駆動すると、ラック１５７及びラック１５７が取り付けられた可動プレート１５４’が、図９において矢印Ｂで示される上下方向にスライドする。これにより、図５（ａ）〜（ｃ）及び図７に示された第１実施形態の動作原理と同様に、可動プレート１５４’のスライド量（ステッピングモータ１５６の回転位置θ）に応じて光量調節機構部１５０ａ’の透過率が変化する。光量低減曲線テーブル１１２ａ及び透過率曲線テーブル１１２ｂを使用して、ランプ１２１の累積点灯時間Ｃに基づいて光量調節機構部１５０ａ’の透過率を制御することにより、光源装置１００は設定光量Ｑの照明光の供給を長期間継続することができる。
【００４２】
以上が、本実施形態の説明であるが、本発明は、本実施形態の構成に限定されるものではなく、特許請求の範囲の記載によって表現された技術的思想の範囲内で様々な変形が可能である。
【００４３】
例えば、上記の実施形態では、通光孔１５２ａ、１５４ａの孔形状が円形であるが、他の孔形状（例えば、楕円形や多角形）の通光孔を設けてもよい。また、上記の実施形態では、通光孔１５２ａ、１５４ａが六方格子状に配列されているが、正方格子状、立方格子状その他の規則的な配列やランダムな配列としてもよい。また、可動プレートの可動方向（図５における矢印Ｂの方向）に配列し、可動方向と直交する方向に延びるスリット状の通光孔を設けても良い。また、上記の実施形態では、孔形状及び孔径が単一な通光孔が形成されているが、孔形状や孔径の異なる複数種類の孔形状を設けても良い。また、上記の実施形態では、固定プレート１５２及び可動プレート１５４に、それぞれ同じパターンの通光孔１５２ａ及び１５４ａが設けられているが、孔形状、孔径、孔数、配列の一つ以上が異なるパターンの通光孔を各プレートに設けてもよい。
【００４４】
上記の実施形態では、可動プレート１５４を固定プレート１５２に対して面内で直進方向にスライドさせることで、通光孔１５２ａと通光孔１５４ａとの重なり具合を変えて、光量調整装置１５０の透過率を変化させているが、可動プレート１５４を例えばその一端を中心に面内で回転方向にスライドさせて透過率を調整する構成としてもよい。
【００４５】
上記の実施形態では、可動プレート１５４の可動方向を規制するリニアガイドとして長穴１５４ｂが使用されているが、長穴１５４ｂに替えて周知の別構成のリニアガイドを使用してもよい。
【００４６】
上記の実施形態では、ランプ１２１の累積照明時間から駆動部１５０ｂの駆動量を決定するために、ランプ光量低減曲線テーブルと透過率曲線テーブルの二種類のテーブルを使用しているが、ランプ１２１の累積照明時間に対する可動プレート１５４の好適位置（例えばステッピングモータ１５６の最適な回転位置θ）を示した位置曲線テーブルをメモリ１１２に保持させ、位置曲線テーブルを使用してランプ１２１の累積照明時間から駆動部１５０ｂの駆動量を直接決定する構成としてもよい。
【符号の説明】
【００４７】
１    電子内視鏡システム
１００    光源装置
１１０    コントローラ
１２１    ランプ
１５０、１５０’  光量調整装置
１５０ａ、１５０ａ’  光量調節機構部
１５２  固定プレート
１５２ａ  通光孔
１５４、１５４’  可動プレート
１５４ａ  通光孔
１５５    楕円カム
１５７    ラック
１５８    ピニオンギヤ
【図１】
2013226167.tif 000003
【図２】
2013226167.tif 000004
【図３】
2013226167.tif 000005
【図４】
2013226167.tif 000006
【図５】
2013226167.tif 000007
【図６】
2013226167.tif 000008
【図７】
2013226167.tif 000009
【図８】
2013226167.tif 000010
【図９】
2013226167.tif 000011